【手続補正書】
【提出日】平成18年12月26日(2006.12.26)
【手続補正１】
【補正対象書類名】明細書
【補正対象項目名】特許請求の範囲
【補正方法】変更
【補正の内容】
【特許請求の範囲】
【請求項１】円筒状フィルター要素であって、縦方向に延びる複数のプリーツを備え、前記プリーツは外側に向く放射状第１プリーツと、内側に向く放射状第２プリーツとを有し、少なくとも１個の第２プリーツが２個の隣接した第１プリーツの間に配置されており、各第１プリーツは予め決められた半径方向高さを有し、各第２プリーツは各第１プリーツの高さより低く、かつ少なくとも他の第２プリーツの半径方向高さと異なる半径方向高さを有する、円筒状フィルター要素。
【請求項２】 前記第１プリーツの理論上の数が約
【数１】
2002534243.tif 000001
と等しい、請求項１に記載のフィルター要素。
ここで、"ｄinner"はフィルター要素の内径に等しく、"ｔ"はプリーツの厚さに等しい。
【請求項３】 第２プリーツの理論上の数"β"が約
【数２】
2002534243.tif 000002
と等しい、請求項１に記載のフィルター要素。
ここで、"ｄinner"はフィルター要素の内径に等しく、"ｄouter"はフィルター要素の外径に等しく、 "ｔ"はプリーツの厚さに等しい。
【請求項４】 フィルター要素がろ材と、少なくとも１個の上流拡散ろ材及び下流拡散ろ材とを有するプリーツ複合体を備える、請求項１に記載のフィルター要素。
【請求項５】 約１０ミクロンより大きくない汚染物質をろ過するための請求項１に記載のフィルター要素であって、前記フィルタ要素が熱可塑性ポリプロピレン・マイクロファイバー不織材からなるろ材と、タイパーＴ−１３５スパンボンド・ポリプロピレン不織材からなる下流拡散ろ材と、５ミル デルネット上流拡散ろ材とを有するプリーツ複合体を備える、フィルター要素。
【請求項６】 約１５０ミクロンより大きくない汚染物質をろ過するための請求項１に記載のフィルター要素であって、前記フィルター要素が熱可塑性ポリプロピレン・マイクロファイバー不織材からなるろ材と、タイパーＴ−１３５スパンボンド・ポリプロピレン不織材からなる下流拡散ろ材と、２０ミル ネール ＬＷＳからなる上流拡散層とを有するプリーツ複合体を備える、フィルター要素。
【請求項７】
ａ） 円筒状ケージと、
ｂ） 前記円筒状ケージ内に同芯に配置された円筒状コアと、
ｃ） 前記コアと前記ケージとの間に同芯に配置され、縦方向に延びる複数のプリーツを有する円筒状フィルター要素とを備え、
前記プリーツは半径方向外側に向く放射状第１プリーツと半径方向内側に向く放射状第２プリーツとを有し、少なくとも１個の第２プリーツが２個の第１プリーツの間に配置されており、各第１プリーツが前記コアの外径と前記ケージの内径との差に略等しい予め決められた半径方向高さを有し、前記各第２プリーツが前記各第１プリーツの半径方向高さより低く、かつ各他の第２プリーツの半径方向高さと異なる半径方向高さを有する、カートリッジ・アッセンブリ。
【請求項８】 前記第２プリーツの理論上の数"β"が約
【数３】
2002534243.tif 000003
と等しい請求項７に記載のカートリッジ・アッセンブリ。
ここで、"ｄcage"はケージの内径に等しく、"ｄcore"はコアの外径に等しく、"ｔ"はプリーツの厚さに等しい。
【請求項９】 フィルター要素を形成する方法であって、第１及び第２プリーツを有する、縦方向に延びる複数のプリーツを形成するようにろ材をプリーツ加工する工程を含み、前記プリーツ加工において、前記少なくとも１個の第２プリーツが前記２個の隣接した第１プリーツの間に配置され、前記各第１プリーツが予め決められた高さを有し、前記各第２プリーツが前記各第１プリーツの高さより低く、かつ前記少なくとも１個の第２プリーツの高さと異なる半径方向高さを有する方法。
【請求項１０】 更に、プリーツ加工したろ材を所望の長さに切断し、前記切断された長さのプリーツろ材を円筒状に形成する工程を含み、前記ろ材の形成において、前記第１プリーツが半径方向外側へ延び、かつ前記第２プリーツが半径方向内側へ延びるように配置してなる、請求項９に記載の方法。
【請求項１１】縦方向に延びる複数のプリーツを備え、前記プリーツは外側に向く放射状第１プリーツと、内側に向く放射状第２プリーツとを有し、少なくとも１個の第２プリーツが２個の隣接した第１プリーツの間に配置されており、各第１プリーツは半径方向高さを有し、各第２プリーツは各第１プリーツの高さより低く、かつ少なくとも他の第２プリーツの半径方向高さと異なる半径方向高さを有する円筒状フィルタ要素であって、ここで、前記フィルタ要素の第２プリーツの最大数が約
【数４】
2002534243.tif 000004
と等しい円筒状フィルタ要素。
ここで、"ｄinner"はフィルター要素の内径に等しく、"ｄouter"はフィルター要素の外径に等しく、"ｔ"はプリーツの厚さに等しい。
【手続補正２】
【補正対象書類名】明細書
【補正対象項目名】００１５
【補正方法】変更
【補正の内容】
【００１５】
（発明の開示）
本発明の開示により構成されたフィルター要素は、外側に向く放射状第１プリーツと内側に向く放射状第２プリーツとを有する、縦方向に延びる複数のプリーツを備え、少なくとも１個の第２プリーツは、２個の隣接した第１プリーツの間に配置される。各第１プリーツは、予め決められた半径方向高さを有し、各第２プリーツは、各第１プリーツの半径方向高さより低く、かつ少なくとも他の第２プリーツの半径方向高さと異なる半径方向高さを有する。
【手続補正３】
【補正対象書類名】明細書
【補正対象項目名】００１６
【補正方法】変更
【補正の内容】
【００１６】
本発明の開示によるフィルター要素は、フィルター面積を増大させ、フィルター要素の内周と外周との間の全フィルター密度をより高くし、フィルターの外周で利用可能な放射状流路の数を増加させることが見出された。本発明の開示によるフィルター要素は又プリーツの移動及び拘束の可能性を低下させるために、中間プリーツ支持力を改良した。
【手続補正４】
【補正対象書類名】明細書
【補正対象項目名】００１７
【補正方法】変更
【補正の内容】
【００１７】
本発明の開示の別の態様によると、フィルター要素は、好ましくは、ろ材と、少なくとも１個の上流拡散ろ材及び下流拡散ろ材とを備えるプリーツ複合体である。拡散ろ材は、ろ材に支持力を与え、効率よく流体を分配することを助長するとともに、プリーツ間及びプリーツ内に形成された流動域が確実に汚水で充満せず、あるいは詰まらない。本発明の開示の更に別の態様によれば、フィルター要素のプリーツ複合体は、プリーツの移動及び拘束の可能性を更に低下させるためにヒートセットされる。
【手続補正５】
【補正対象書類名】明細書
【補正対象項目名】００１８
【補正方法】変更
【補正の内容】
【００１８】
本発明の開示は又円筒状ケージと、円筒状ケージ内に同芯に配置された円筒状コアと、コアとケージとの間に同芯に配置された、上述したような、円筒状フィルター要素とを有するカートリッジ・アッセンブリを提供する。フィルター要素の各第１プリーツは、コアの外側半径とケージの内側半径との差に略等しい予め決められた半径方向高さを有する。
【手続補正６】
【補正対象書類名】明細書
【補正対象項目名】００１９
【補正方法】変更
【補正の内容】
【００１９】
本発明の開示によるフィルター要素を形成する方法は、第１プリーツ及び第２プリーツを有する、縦方向に延びる複数のプリーツを形成するようにろ材をプリーツ加工することを含み、少なくとも１個の第２プリーツは、２個の隣接した第１プリーツの間に配置され、各第１プリーツは予め決められた高さを有し、各第２プリーツは各第１プリーツの高さよりも低く、かつ少なくとも１個の第２プリーツの高さと異なる半径方向高さを有する。一態様によれば、この方法は更に、プリーツ加工したろ材を所望の長さに切断し、切断された長さのプリーツろ材を第１プリーツが半径方向外側へ延び、かつ第２プリーツが半径方向内側へ延びるように円筒状に形成することを含む。
【手続補正７】
【補正対象書類名】明細書
【補正対象項目名】００２０
【補正方法】変更
【補正の内容】
【００２０】
本主題の開示の上記態様及び他の態様は、図面と合わせて好ましい実施例についての以下の詳細な開示から当業者には容易に明らかになる。